(57)【要約】    【課題】魚の保冷効果を向上する発泡容器を提供することを課題とする。    【解決手段】発泡容器は、蓋体と、この蓋体と嵌合し、かつ平面形状が略矩形であり、かつ内部に魚及び氷を収容するための開口部を有する容器本体１２０とを備え、容器本体１２０の底面Ｂには、長手方向に沿って延びる凸部１２５ａ、１２５ｂが形成されていることを特徴とする。容器本体１２０の底面Ｂには、凸部１２５ａ、１２５ｂが複数形成されていることが好ましい。【選択図】図３
0003193342.tif 000002
【実用新案登録請求の範囲】
【請求項１】
蓋体と、
前記蓋体と嵌合し、かつ平面形状が略矩形であり、かつ内部に魚及び氷を収容するための開口部を有する容器本体とを備え、
前記容器本体の底面には、長手方向に沿って延びる凸部が形成されていることを特徴とする、発泡容器。
【請求項２】
前記容器本体の底面には、前記凸部が複数形成されていることを特徴とする、請求項１に記載の発泡容器。
【考案の詳細な説明】
【技術分野】
【０００１】
本考案は、発泡容器に関し、より特定的には、蓋体と、この蓋体と嵌合する容器本体とを備えた発泡容器に関する。
【背景技術】
【０００２】
魚などの保冷を要する物品を収容・運搬するための容器として、発泡合成樹脂よりなる発泡容器が用いられている（例えば特許文献１）。この特許文献１に開示の発泡容器は、蓋体と、容器本体とを備え、容器本体は上方に開口する平面略長方形の箱形状をなしていることが開示されている。
【先行技術文献】
【特許文献】
【０００３】
【特許文献１】特開２００５−２４７４１１号公報
【考案の概要】
【考案が解決しようとする課題】
【０００４】
上記特許文献１に開示の発泡容器の底面は平坦である。この発泡容器の容器本体に、魚及び魚を冷却するための氷を収容して、運搬すると、魚が一定に冷却されない場合があり、魚の保冷効果が十分でなかった。
【０００５】
本考案は、上記問題に鑑み、魚の保冷効果を向上する発泡容器を提供することを課題とする。
【課題を解決するための手段】
【０００６】
本考案の発泡容器は、蓋体と、該蓋体と嵌合し、かつ平面形状が略矩形であり、かつ内部に魚及び氷を収容するための開口部を有する容器本体とを備え、該容器本体の底面には、長手方向に沿って延びる凸部が形成されていることを特徴とする。
【０００７】
本考案の発泡容器によれば、複数のローラーからなるコンベアなどの運搬部材を用いて、運搬部材上に発泡容器の底面を配置し、発泡容器の長手方向と交差する方向に発泡容器を運搬すると、容器本体の底面に長手方向に沿って延びる凸部が形成されているので、この凸部により、容器本体が振動する。この振動により、容器本体に収容された魚及び氷が移動するので、魚が一定に冷却されやすくなるため、魚の保冷効果を向上できる。
【０００８】
上記発泡容器において好ましくは、上記容器本体の底面には、凸部が複数形成されていることを特徴とする。
【０００９】
凸部が複数形成されていると、運搬部材により発泡容器を運搬するときに、発泡容器の振動がより大きくなる。このため、魚がより一定に冷却されやすくなるため、魚の保冷効果をより向上できる。
【考案の効果】
【００１０】
以上説明したように、本考案によれば、魚の保冷効果を向上する発泡容器を提供することができる。
【図面の簡単な説明】
【００１１】
【図１】本考案の実施の形態における発泡容器を概略的に示す斜視図である。
【図２】本考案の実施の形態における発泡容器において、蓋体と容器本体とが嵌合していない（分離した）状態を概略的に示す斜視図である。
【図３】本考案の実施の形態における容器本体を底面から見たときの状態を概略的に示す斜視図である。
【図４】本考案の実施の形態における容器本体を図３における矢印ＩＶから見たときの側面図である。
【図５】本考案の実施の形態における発泡容器を運搬部材で運搬するときの状態を概略的に示す側面図である。
【考案を実施するための形態】
【００１２】
以下、図面に基づいて本考案の実施の形態を説明する。なお、以下の図面において同一または相当する部分には同一の参照符号を付し、その説明は繰り返さない。
【００１３】
始めに、図１〜図４を参照して、本考案の一実施の形態における発泡容器１００について説明する。
【００１４】
図１及び図２に示すように、本実施の形態の発泡容器１００は、発泡合成樹脂よりなり、蓋体１１０と、この蓋体１１０と嵌合する容器本体１２０とを備えている。蓋体１１０及び容器本体１２０は互いに分離可能であると共に、蓋体１１０及び容器本体１２０が嵌合されると内部は密閉される。
【００１５】
図１に示すように、蓋体１１０は、天壁と、この天壁の外周縁から下方に延びる側壁とで構成され、嵌合部（図示せず）と、合わせ面（図示せず）とを含んでいる。
嵌合部は、容器本体１２０と対向する側に形成され、容器本体１２０の嵌合部１２２（図２参照）と嵌合可能であり、凹状である。
合わせ面は、容器本体１２０と対向する側において嵌合部の外周側に形成され、容器本体１２０と嵌合したときに、容器本体１２０の合わせ面１２３（図２参照）と対向する面である。
【００１６】
また、蓋体１１０の天壁の容器本体１２０と対向する側と反対側の面において、外周縁の長手方向全体及び短手方向の一部は、他の部分よりも盛り上がっている。
【００１７】
図２に示すように、容器本体１２０は、本体部１２１と、嵌合部１２２と、合わせ面１２３と、内側突出部１２４とを含んでいる。
【００１８】
本体部１２１は、底面Ｂと、底面Ｂから上方に立設した側面とを有する。この底面Ｂ及び側面で囲まれた領域は開口部Ｏを形成し、開口部Ｏには魚及び魚を冷却するための氷を収容する。本実施の形態の本体部１２１は、略直方体の開口部Ｏを有する略直方体である。
【００１９】
嵌合部１２２は、蓋体１１０の凹状の嵌合部と嵌合可能であり、凸状である。容器本体１２０の凸状の嵌合部１２２と蓋体１１０の凹状の嵌合部とが嵌合されると、蓋体１１０と容器本体１２０とは係止される。
なお、嵌合部１２２は、本体部１２１の側面の内側上端縁の全部と連続して形成されていてもよく、一部のみと連続して形成されていてもよい。
【００２０】
合わせ面１２３は、嵌合部１２２の外周に形成され、容器本体１２０と蓋体１１０とが嵌合したときに、蓋体１１０の合わせ面と対向する面である。容器本体１２０と嵌合したときに、蓋体１１０の合わせ面と、容器本体１２０の合わせ面とは接していてもよく、接していなくてもよい。
【００２１】
内側突出部１２４は、本体部１２１における短手方向を構成する側面の中央下方に形成されている。内側突出部１２４は、例えば、発泡容器１００を手で持つときに、指を入れることが可能な形状である。
【００２２】
図３に示すように、本体部１２１の底面Ｂの平面形状は略矩形である。この底面Ｂには、長手方向に沿って延びる凸部１２５ａ、１２５ｂが形成されている。凸部１２５ａ、１２５ｂは、底面Ｂにおける長手方向の辺の半分以上の長さを有することが好ましい。
なお、底面Ｂの平面形状が略正方形の場合には、長手方向は、いずれの辺に沿った方向でもよい。
【００２３】
容器本体１２０の底面Ｂには、複数の凸部１２５ａ、１２５ｂが形成されていることが好ましい。本実施の形態では、長手方向に沿って延びる互いに平行な３つ以上の凸部１２５ａ、１２５ｂが形成され、端部に形成された凸部１２５ａの幅よりも、中央部に形成された凸部１２５ｂの幅が大きい。
【００２４】
凸部１２５ａ、１２５ｂは、底面Ｂから垂直に立設されていてもよく、図４に示すように頂面に向けて幅が狭くなるテーパ状に形成されていてもよい。発泡容器１００を運搬する際に振動を生じさせる観点から、テーパ角度は１度以上２度以下が好ましい。
【００２５】
ここで、図４を参照して、凸部１２５ａ、１２５ｂの位置及び具体的寸法の一例を挙げる。図４において、Ｌ１は例えば２５ｍｍであり、Ｌ２は例えば２５ｍｍであり、Ｌ３は例えば８２ｍｍであり、Ｌ４は例えば５０ｍｍであり、Ｌ５は例えば１ｍｍであり、Ｈは例えば４ｍｍ以上５ｍｍ以下である。
【００２６】
なお、底面Ｂに複数の凸部１２５ａ、１２５ｂが形成されている場合、各々の凸部１２５ａ、１２５ｂの長さ、幅、及び高さは、同じであっても異なっていてもよい。
【００２７】
また、底面Ｂには、凹部１２６が形成されている。この凹部１２６は、金型に予備発泡樹脂粒子を充填するための充填孔の跡であったり、金型から発泡容器を取り出すために押出したときに形成されるものであったり、品番などの表示をするために設けられている。凹部１２６は、凸部１２５ａ、１２５ｂ内に形成されていてもよい。
【００２８】
凸部１２５ａ、１２５ｂの長手方向の長さ及び凹部１２６の長手方向の長さは特に制限されないが、凸部１２５ａ、１２５ｂの長手方向の長さは、凹部１２６の長手方向の長さよりも大きいことが好ましい。
また、凸部１２５ａ、１２５ｂの高さＨ及び凹部１２６の深さは特に制限されないが、凸部１２５ａ、１２５ｂの高さＨは、凹部１２６の深さよりも大きいことが好ましい。
【００２９】
続いて、本実施の形態における発泡容器１００を運搬方法について説明する。
発泡容器１００の蓋体１１０と容器本体１２０との嵌合を外して、それぞれ分離した状態で、容器本体１２０の開口部Ｏに魚及び氷を収容する。この状態で、蓋体１１０の嵌合部と容器本体１２０の嵌合部１２２とを互いに嵌合させて、容器本体１２０の開口部Ｏを覆うように蓋体１１０を取り付ける。
【００３０】
次に、図５に示す複数のローターを有するローラーコンベアなどの運搬部材１３０を用いて、魚及び氷を収容した発泡容器１００を運搬する。具体的には、発泡容器１００の容器本体１２０の底面Ｂが運搬部材１３０に接するように、かつ運搬する方向（図５における左右方向）と発泡容器１００の長手方向とが交差するよう（本実施形態では直交、つまり底面Ｂの短手方向）に、発泡容器１００を運搬部材１３０上に配置する。この状態で、容器本体１２０の底面Ｂの長手方向と交差する方向（本実施形態では直交）に、運搬部材１３０上の発泡容器１００を移動させる。このとき、容器本体１２０の底面Ｂに形成された凸部１２５ａ、１２５ｂが、運搬部材１３０の隣り合うローラー間の溝から、ローラーに乗り上げたとき、または、ローラーから、隣り合うローラー間の溝に入ったときに、凸部１２５ａ、１２５ｂにより発泡容器１００が振動する。この振動によって、発泡容器１００に収容された魚及び氷が移動するので、魚が一定に冷却されやすくなるため、魚の保冷効果を向上できる。
【００３１】
ここで、本実施の形態の発泡容器１００を運搬する運搬部材の具体的寸法の一例を挙げると、ローラーの直径は４３ｍｍであり、隣り合うローラーの中心間距離Ｌ６は、例えば７５ｍｍである。
【００３２】
また、発泡容器１００をより振動させる観点から、隣り合う凸部１２５ａ、１２５ｂ間の距離Ｌ３は、隣り合うローラー間の距離Ｌ６の１倍を超えて１．１倍以下であることが好ましい。
【００３３】
今回開示された実施の形態はすべての点で例示であって制限的なものではないと考えられるべきである。本考案の範囲は上記した実施の形態ではなくて実用新案登録請求の範囲によって示され、実用新案登録請求の範囲と均等の意味および範囲内でのすべての変更が含まれることが意図される。
【符号の説明】
【００３４】
１００  発泡容器、１１０  蓋体、１２０  容器本体、１２１  本体部、１２２  嵌合部、１２３  合わせ面、１２４  内側突出部、１２５ａ，１２５ｂ  凸部、１２６  凹部、１３０  運搬部材、Ｂ  底面、Ｏ  開口部。
【図１】
0003193342.tif 000003
【図２】
0003193342.tif 000004
【図３】
0003193342.tif 000005
【図４】
0003193342.tif 000006
【図５】
0003193342.tif 000007